(57)【要約】【課題】ベルトをズボン等のループから抜かなくても簡単に着脱することができ、またベルトを装着しない場合でも装着が可能で、しかもストラップを連結した携帯電話機等をすぐに使用可能な状態で保持することができるストラップ連結具を提供することを目的とする。【解決手段】腰に巻いた被装着部としてのベルトＢの下側から嵌める。次いで上側取付部材３をベルトＢの上側から嵌めて、下側取付部材５に連結する。これにより上側取付部材３と下側取付部材５とが環状になり、この環状となった上側取付部材３と下側取付部材５にベルとＢが挿通された状態となって、ストラップ連結具１がベルトＢに取り付けられる。このようにしてベルトＢに装着したストラップ連結具１の湾曲片３５の上端部に携帯電話機Ｔに連結したストラップＳを掛けて引き下げて、係止する。【選択図】        図１
2008036131.tif 000002
【特許請求の範囲】
【請求項１】
連結すると環状となる一対の取付部材と、前記一対の取付部材を環状となるように連結する状態と連結を解除して分離する状態にできる連結手段と、一対の取付部材の少なくとも一方に設けられた携帯電話機等のストラップを係止する係止部とを有し、前記一対の取付部材を分離した状態で人の腰に巻いたベルト等の被装着部に嵌め、一対の取付部材を連結し環状とし、環状となった取付部材に被装着部が挿通される状態として、一対の取付部材を被装着部に取り付けることを特徴とするストラップ連結具。
【請求項２】
請求項１に記載したストラップ連結具において、一対の取付部材のうち一方の取付部材の少なくとも一端部側は細径の棒状となっており、前記細径の棒状を被装着部に貫通させて他方の取付部材に連結させ、一対の取付部材を環状とすることにより被装着部に取り付けることを特徴とするストラップ連結具。
【請求項３】
請求項１または２に記載したストラップ連結具において、一対の取付部材には互いに対向する一対の対向部が設けられており、連結手段は一方の取付部材と他方の取付部材の対向部どうしが重ね合わされた状態で連結するものであることを特徴とするストラップ連結具。
【請求項４】
請求項３に記載したストラップ連結具において、連結手段は、一方側の対向部どうしの連結を行う一方側連結構造と、他方側の対向部どうしの連結行う他方側連結構造とが異なっており、一方側連結構造は一方の対向部を他方の対向部が弾性力によって保持するものであり、他方側連結構造は一方の対向部に設けられた嵌合部が他方の対向部に設けられた被嵌合部に嵌合するものであることを特徴とするストラップ連結具。
【請求項５】
請求項３または４に記載したストラップ連結具において、一対の取付部材が環状になるように連結された状態で、被装着部が挿通されている方向へ重ね合わされた対向部がずれるのを防止するストッパ手段を設けたことを特徴とするストラップ連結具。
【発明の詳細な説明】
【技術分野】
【０００１】
本発明はストラップ連結具に係り、特にベルト等に装着し携帯電話機等に取り付けたストラップを係止するストラップ連結具に関するものである。
【背景技術】
【０００２】
近年、携帯電話機をはじめとして防犯ブザー、鍵など携帯する物が増えているが、これらの物は単に携帯するだけでなく、使用するときにはすぐに取り出せることが必要である。
【発明の開示】
【発明が解決しようとする課題】
【０００３】
しかしながら、上記携帯電話機等をカバンの中に入れておいたのでは、カバンの奥に入り込んでしまうなどして、すぐに取り出すことができず不便なことが多い。このため衣服のポケットに入れて携帯する人も少なくないが、落としてしまうおそれがある。
また、腰に巻いたベルトに挿通するタイプの携帯電話機用ケースもあるが、これをベルトから着脱するためにはベルトをズボン等のループから抜く必要があるので、かなり不便であり、またベルトをしない場合には装着することができないという不都合もある。
【０００４】
本発明は上記従来の問題点に着目して為されたものであり、ベルトをズボン等のループから抜かなくても簡単に着脱することができ、またベルトをしない場合でも装着が可能で、しかもストラップを連結した携帯電話機等をすぐに使用可能な状態で保持することができるストラップ連結具を提供することを、その目的とする。
【課題を解決するための手段】
【０００５】
本発明は上記課題を解決するためになされたものであり、請求項１の発明は、連結すると環状となる一対の取付部材と、前記一対の取付部材を環状となるように連結する状態と連結を解除して分離する状態にできる連結手段と、一対の取付部材の少なくとも一方に設けられた携帯電話機等のストラップを係止する係止部とを有し、前記一対の取付部材を分離した状態で人の腰に巻いたベルト等の被装着部に嵌め、一対の取付部材を連結し環状とし、環状となった取付部材に被装着部が挿通される状態として、一対の取付部材を被装着部に取り付けることを特徴とするストラップ連結具である。
【０００６】
請求項２の発明は、請求項１に記載したストラップ連結具において、一対の取付部材のうち一方の取付部材の少なくとも一端部側は細径の棒状となっており、前記細径の棒状を被装着部に貫通させて他方の取付部材に連結させ、一対の取付部材を環状とすることにより被装着部に取り付けることを特徴とするストラップ連結具である。
【０００７】
請求項３の発明は、請求項１または２に記載したストラップ連結具において、一対の取付部材には互いに対向する一対の対向部が設けられており、連結手段は一方の取付部材と他方の取付部材の対向部どうしが重ね合わされた状態で連結するものであることを特徴とするストラップ連結具である。
【０００８】
請求項４の発明は、請求項３に記載したストラップ連結具において、連結手段は、一方側の対向部どうしの連結を行う一方側連結構造と、他方側の対向部どうしの連結を行う他方側連結構造とが異なっており、一方側連結構造は一方の対向部を他方の対向部が弾性力によって保持するものであり、他方側連結構造は一方の対向部に設けられた嵌合部が他方の対向部に設けられた被嵌合部に嵌合するものであることを特徴とするストラップ連結具である。
【０００９】
請求項５の発明は、請求項３または４に記載したストラップ連結具において、一対の取付部材が環状になるように連結された状態で、被装着部が挿通されている方向へ重ね合わされた対向部がずれるのを防止するストッパ手段を設けたことを特徴とするストラップ連結具である。
【発明の効果】
【００１０】
本発明のストラップ連結具では、ベルトをズボン等のループから抜かなくても簡単に着脱することができる。またベルトをしない場合でも装着することが可能である。
また、ストラップを連結した携帯電話機等をすぐに使用可能な状態で保持することができる。
【発明を実施するための最良の形態】
【００１１】
本発明の実施の形態１に係るストラップ連結具１を図１から図４によって説明する。
ストラップ連結具１は図1に示す上側取付部材３と図２に示す下側取付部材５等から構成されている。
上側取付部材３はバネ性を有する金属板によって構成されている。上側取付部材３は一対の対向部７，９と対向部７，９の一端部に対し一体に形成された連携部１０とから構成されている。また対向部７，９の他端部どうしは離間しており、上側取付部材３は側面視がほぼＵ字形を為している。対向部７，９は互いに対向しており、対向部７の内面（対向部９に対向する側の面）にはプラスチック製の嵌合プレート１１が固定されている。
【００１２】
嵌合プレート１１の構成について説明する。
嵌合プレート１１の主部１３の表面の中央には被嵌合部としての凹部１５が複数形成され、この凹部１５は縦断面が連携部１０へ傾く鋸歯状に形成されている。複数の凹部１５は上下方向に並んで等間隔に配され、また主部１３の両端部近傍まで延びる幅を有している。嵌合プレート１１の下端部の中央には凹部１５に連続する挿入凹部１６が形成されている。
また、主部１３の両端部には凸条１９が形成されている。主部１３の裏面には上下に配された円柱状の凸部２０が設けられている。これら２つの凸部２０が上側取付部材３の対向部７に形成された丸孔２１に嵌合され、凸部２０の丸孔２１から突出した部分を熱溶解してフランジ状とすることにより、嵌合プレート１１は対向部７に固定されている。
【００１３】
対向部９の左右方向の両端部にはストッパ手段としての折り曲げ片２３がそれぞれ形成されている。折り曲げ片２３は対向部９に一体に形成された矩形の板状体を対向部７へ向くように直角に曲げ、更に互いに対向する方向へ直角に曲げて形成されている。
【００１４】
下側取付部材５はバネ性を有する金属板によって構成されている。下側取付部材５は一対の対向部２７，２９と対向部２７，２９の一端部に対し一体に形成された連携部３０とから構成されている。また対向部２７，２９の他端部どうしは離間しており、下側取付部材５は側面視がほぼＵ字状を為している。
対向部２７には嵌合部としての突出片３１が設けられており、この突出片３１は外側へ向かって突出している。突出片３１は対向部２７の一部を「コの字状」に打ち抜き、この打ち抜いた空間に囲まれた部分を外側へ少し曲げて形成されており、突出片３１の先端部は斜め下方を向いている。
【００１５】
対向部２９は上方へ真っ直ぐに延びる一対の直片３３と、直片３３に挟まれた部分に設けられた係止手段としての湾曲片３５とによって構成されている。湾曲片３５は右方向へ真っ直ぐに延びる部分と上方に延びる「くの字状」の延びる部分とが一体になった形状に形成されている。
連結手段は、上記嵌合プレート１１の凹部１５、突出片３１、対向部９、直片３３及び湾曲片３５によって構成されている。
また、上記対向部９、直片３３及び湾曲片３５によって一方側連結構造が構成され、凹部１５と突出片３１によって他一方側連結構造が構成されている。
【００１６】
次にこのストラップ連結具１の使用方法について説明する。
まず、図３、図４に示すように下側取付部材５を、湾曲片３５が設けられた対向部２９を体の外側にして、腰に巻いた被装着部としてのベルトＢの下側から嵌める。次いで上側取付部材３をベルトＢの上側から嵌めて、下側取付部材５に連結する。これにより上側取付部材３と下側取付部材５とが環状になり、この環状となった上側取付部材３と下側取付部材５にベルトＢが挿通された状態となって、ストラップ連結具１がベルトＢに取り付けられる。即ち、上側取付部材３の対向部９を下側取付部材５の直片３３と湾曲片３５とによって挟持されるように差し込み、また凹部１５に突出片３１が入り込むようにして嵌合させる。従って、上側取付部材３の対向部７は下側取付部材５の対向部２７に重ね合わされ、対向部９は対向部２９に重ね合わされた状態で連結される。
【００１７】
前述のように下側取付部材５はバネ性を有しているので、対向部９は直片３３と湾曲片３５の弾性力によって保持される。また、凹部１５は縦断面が連携部１０の方向へ傾いて形成され、しかも突出片３１の先端部は斜め下方を向いているので、上側取付部材３が下方へ移動すると突出片３１が押し曲げられる。従って、上側取付部材３を押し下げることができる。一方、上側取付部材３を引き上げようとすると、凹部１５に突出片３１が入り込むので、上側取付部材３が下側取付部材５から外れるのが規制される。なお、ベルトＢの幅寸法に応じて突出片３１を嵌める凹部１５を選択する。
また、下側取付部材５の直片３３は、上側取付部材３の折り曲げ片２３に囲まれた状態となるので、重ね合わされた対向部９と対向部２９、更に重ね合わされた対向部７と対向部２７とが、ベルトＢが挿通されている方向へずれるのを防止できる。
【００１８】
このようにしてベルトＢに装着したストラップ連結具１の湾曲片３５の上端部に携帯電話機Ｔに連結したストラップＳを掛けて引き下げる。これにより湾曲片３５が弾性変形して湾曲し、ストラップＳは湾曲片３５と直片３３との間の空間に通り、湾曲片３５に係止されて保持される。ストラップＳは湾曲片３５と直片３３との間の空間を通らない限り外れないので、携帯電話機Ｔを落とすことはない。
また、ストラップＳを上方へ引っ張れば、ストラップＳが湾曲片３５を押して湾曲させ、ストラップＳを湾曲片３５から簡単に抜くことができる。従って、携帯電話機Ｔをすぐに使用可能な状態にすることができる。
更に、ストラップＳに連結された携帯電話機Ｔをズボンのポケットに入れ、この携帯電話機Ｔがポケットの底に付かない、いわば宙吊りになるようにストラップＳの長さを調節すれば、携帯電話機Ｔがポケットの中で動いても、太股に当たる不愉快な感じを軽減することができる。
【００１９】
ストラップ連結具１をベルトＢから外す場合には、爪楊枝やボールペンの先等を挿入凹部１６から挿入して、突出片３１を凹部１５から離間する方向へ押さえて凹部１５から外す。そして、そのままの状態で上側取付部材３を引き上げて、下側取付部材５との連結を解除する。次いで、下側取付部材５を下方へ引くようにしてベルトＢから外す。このようにストラップ連結具１はベルトＢから簡単に外すことができる。
このように、ストラップ連結具１ではベルトＢをズボン等のループＲから抜かなくても簡単に着脱することが可能である。
【００２０】
実施の形態２に係るストラップ連結具４１を図５、図６によって説明する。
実施の形態２に係るストラップ連結具４１は下側取付部材４５の湾曲片４７を除いた他の構成部材は実施の形態１に係るストラップ連結具１と同様であるので、ストラップ連結具４１についてはストラップ連結具１と異なる部分についてのみ説明することとし、同様の構成部分については説明を省略し、またストラップ連結具４１についてストラップ連結具１と同様の部分については同じ符号を用いることとする。このことは次に説明する実施の形態３から５についても適用する。
【００２１】
下側取付部材４５の湾曲片４７は右方向へ真っ直ぐに少し延びる部分と、上方に真っ直ぐ延び、更に対向部２７の方向へ曲がり斜め下方へ延びて、更に下方へ真っ直ぐに延びる部分とによって構成されている。湾曲片４７と一対の直片３３とによって対向部４８が構成されている。
図６に示すように下側取付部材４５は上側取付部材３と連結されて、ベルトＢに装着される。そして、湾曲片４７に携帯電話機ＴのストラップＳを係止して用いる。
【００２２】
実施の形態３に係るストラップ連結具の下側取付部材５２を図７によって説明する。
ストラップ連結具の下側取付部材５２の湾曲片３５にはリング部５７が設けられており、ストラップＳを湾曲片３５に係止するだけでなく、リング部５７に取り付けることもできる。この下側取付部材５２は上側取付部材３と連結される。
【００２３】
実施の形態４に係るストラップ連結具６１を図８によって説明する。
上側取付部材６３の対向部６４には上下方向に配された５つの被嵌合部としての嵌合孔６５が形成されている。また下側取付部材６６の対向部６７には嵌合部としての嵌合凸部６８が形成されている。
このストラップ連結具６１はベルトＢの幅寸法に応じた適宜の嵌合孔６５に、嵌合凸部６８を嵌合して対向部６４と対向部６７とを連結する。
【００２４】
実施の形態５に係るストラップ連結具７１を図９、図１０によって説明する。
ストラップ連結具７１はベルトＢを使用しないスカート等にも装着することが可能なタイプのものである。
ストラップ連結具７１は実施の形態４の上側取付部材６３を構成部材とし、下側取付部材７３の構成のみが異なる。
下側取付部材７３は実施の形態１の下側取付部材５と同様に一対の直片３３と湾曲片３５とから成る対向部２９を有している。また対向部２９には連携部７２と対向部７５が一体に形成されている。連携部７２は途中部分から細径の丸棒状で、対向部７５も細径の丸棒状に形成されている。対向部７５の上端部は外側へ折り曲げられて嵌合部としての嵌合凸部７７が形成されている。
【００２５】
ストラップ連結具７１をスカートＫに装着する方法について説明する。
まず、スカートＫの上端部（腰回りに位置する部分）に千枚通し等を用いて孔Ｋａを空ける。そして、孔Ｋａに下側取付部材７３の対向部７５を挿通し、次いで上側取付部材６３をスカートＫの上端部の縁に係合させ、対向部９を下側取付部材７３の直片３３と湾曲片３５との間に挿入し、また嵌合凸部７７を嵌合孔６５に嵌合する。
【００２６】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、上側取付部材と下側取付部材を金属板によって構成したが、これらをプラスチックによって構成することも可能である。
また、本発明のストラップ連結具は、携帯電話機だけでなく、防犯ブザー、鍵等に取り付けられたストラップを連結するのに用いることが可能である。
上記実施の形態１では、下側取付部材５の対向部２７が上側取付部材３の対向部７の内側において重なり合う構成となっているが、対向部２７が対向部７の外側において重なり合う構成としてもよい。この場合には、突出片は対向部２７の内側（対向部９側）へ突出することになる。
【産業上の利用可能性】
【００２７】
本発明のストラップ連結具は携帯電話機に限らず、災害時等において懐中電灯等を身に付けておき、しかもすぐに使えるようにしておきた物全てに利用可能である。
【図面の簡単な説明】
【００２８】
【図１】本発明の実施の形態１に係るストラップ連結具の上側取付部材の斜視図である。
【図２】本発明の実施の形態１に係るストラップ連結具の下側取付部材の斜視図である。
【図３】本発明の実施の形態１に係るストラップ連結具を腰に巻いたベルトに装着した状態を示す斜視図である。
【図４】図３のＡ−Ａ断面図である。
【図５】本発明の実施の形態２に係るストラップ連結具の下側取付部材の斜視図である。
【図６】本発明の実施の形態２に係るストラップ連結具の図４に対応する断面図である。
【図７】本発明の実施の形態３に係るストラップ連結具の下側取付部材の斜視図である。
【図８】本発明の実施の形態４に係るストラップ連結具の下側取付部材と下側取付部材とを分離した状態の斜視図である。
【図９】本発明の実施の形態５に係るストラップ連結具の下側取付部材の斜視図である。
【図１０】本発明の実施の形態５に係るストラップ連結具の図４に対応する断面図である。
【符号の説明】
【００２９】
１，４１，６１，７１  ストラップ連結具
３，６３  上側取付部材      ５，４５，５２，６６，７３  下側取付部材
７，９，６４，７５，２７，２９，４８，６７  対向部
６５  嵌合孔
１０，３０，７２  連携部      １１  嵌合プレート      １３  主部
１５  凹部      １６  挿入凹部      １９  凸条
６８，７７  嵌合凸部      ２０  凸部      ２１  丸孔
２３  折り曲げ片      ３１  突出片      ３３  直片
３５，４７  湾曲片      ５７  リング部
Ｂ  ベルト      Ｔ  携帯電話機      Ｓ  ストラップ      Ｋ  スカート
Ｋａ  孔
【図１】
2008036131.tif 000003
【図２】
2008036131.tif 000004
【図３】
2008036131.tif 000005
【図４】
2008036131.tif 000006
【図５】
2008036131.tif 000007
【図６】
2008036131.tif 000008
【図７】
2008036131.tif 000009
【図８】
2008036131.tif 000010
【図９】
2008036131.tif 000011
【図１０】
2008036131.tif 000012